(57)【要約】      （修正有）【課題】  容器内に収容された高粘性を有する内容物を容易に注出できるようにした注出容器を簡単な構造で低コストで提供する。【解決手段】  円筒体の下端部の底壁部５に注出ピストン３と内容物を案内する案内部材４が立設され、上端部に注出ピストン３の吐出管６を挿通する摺動筒部７ａを設けた蓋体７が嵌着された注出容器本体２を形成する。円板状の周縁部にピストン５ａを設け、前記注出容器本体２内に嵌合して摺動可能に形成すると共に、中央部に前記案内部材４を挿通する連結筒部５ｂを設けて押圧ピストン５を形成し、前記押圧ピストンの連結筒部５ｂに注出ノズル８と押圧部６ｂを設けた吐出管６を連結して押圧可能な注出ピストン３を形成し、注出容器本体２内に前記押圧ピストン５を摺動可能に嵌合せしめて、連結筒部５ｂに前記底壁部に立設した案内部材４を挿通すると共に、前記吐出管６を摺動筒７ａに挿通して注出ピストン３を押圧操作可能とした。【選択図】  図２
2006124007.tif 000002
【特許請求の範囲】
【請求項１】
円筒状に形成した下端部の底部には、押圧する注出ピストンと押出される内容物を案内する案内部材が立設されて、上端部には注出ピストンの吐出管を摺動可能に挿通する嵌合筒を設けた蓋体が嵌着されて、高粘性を有する内容物を収容可能にした注出容器本体を形成して、
円板状に形成した縁部にピストンを周設して、前記注出容器本体内に嵌合して摺動可能に形成すると共に、中央部に前記案内部材を挿通可能にした連結筒部を設けて押圧ピストンを形成して、前記押圧ピストンの連結筒部に注出ノズルと押圧部を設けた吐出管を連結して押圧可能な注出ピストンを形成して、
前記注出容器本体内に前記押圧ピストンを摺動可能に嵌合せしめて、連結筒部に前記底部に立設した案内部材を挿通すると共に、前記吐出管を前記蓋体の嵌合筒に挿通して注出ピストンを押圧操作可能に構成してなることを特徴とする粘稠性物質の注出容器。
【請求項２】
円筒状に形成した下端部の底部には、押圧する注出ピストンと押出される内容物を案内する案内部材が立設されて、上端部には注出ピストンの吐出管を摺動可能に挿通する嵌合筒を設けた蓋体が嵌着されて、高粘性を有する内容物を収容可能にした注出容器本体を形成して、
円板状に形成した縁部にピストンを周設して、前記注出容器本体内に嵌合して摺動可能に形成すると共に、中央部に前記案内部材を挿通可能にした連結筒部を設けて押圧ピストンを形成して、注出ノズルと押圧部を設けた吐出管の外周面にストッパーを係止する係合凹溝を設けて前記連結筒部に連結して押圧可能な注出ピストンを形成して、
前記注出容器本体内に前記押圧ピストンを摺動可能に嵌合せしめて、連結筒部に前記底部に立設した案内部材を挿通すると共に、前記吐出管を前記蓋体の嵌合筒に挿通して注出ピストンを押圧操作可能となして、前記蓋体の上面で前記吐出管の係合凹溝にストッパーを係止して押圧ピストンを降下不能に構成してなることを特徴とする粘稠性物質の注出容器本体。
【請求項３】
前記案内部材は、棒状部材の表面に押出される内容物が流動可能な凹溝が軸方向に形成されてなることを特徴とする請求項１および請求項２に記載する粘稠性物質の注出容器本体。
【請求項４】
前記注出ピストンは、前記吐出管の外周面に周方向に複数の係合凹溝が設けられてなることを特徴とする請求項２に記載する粘稠性物質の注出容器本体。
【請求項５】
前記ストッパーは、前記吐出管の外周面に設けた係合凹溝に係合可能なＣ字状の係止部に摘み片を連設して弾性係合が可能に形成されてなることを特徴とする請求項２に記載する粘稠性物質の注出容器本体。
【発明の詳細な説明】
【技術分野】
【０００１】
本願発明は、各種の化粧用クリームや洗顔用のパック材、整髪用のポマード等の化粧用品、または、シャンプーやリンス、その他の各種の衛生用品等の高粘性を有する物質、あるいは、マヨネーズやケチャップ、ホワイトソース等のペースト状をした各種の調味料や食品等の粘稠性または流動性を有する物質を収容するのに適した容器に係わるものである。
中でも、上記したような各種の粘稠性または流動性を有する物質を収容した中空容器から内容物を取り出して使用する際に、従来のような複雑な構造をした注出ポンプや特別な道具を用いることなしに、そして、手を汚すようなこともなしに中空容器内から必要な量だけ注出できるようにした注出容器に関するものである。
【背景技術】
【０００２】
化粧用のクリームや整髪用のポマード等の高粘性を有する各種の化粧用物質、あるいは、マヨネーズやホワイトソース等のペースト状をした各種の食品等は、従来はガラス等からなる広口状の容器に収容して密封されているのが一般的であり、そして、これらの容器から内容物を取り出して使用するには、開口部を密閉しているネジ蓋その他の蓋体を回動する等の操作を行って開封してから、内容物を指先に付着させて取り出すか、または、スプーン等の道具を用いて掬い出して使用している。
また、上記したような各種の粘稠性または流動性を有する物質が、押圧変形が可能な軟質材からなるチューブ状その他の形状をした中空容器に収容されているものについては、容器の蓋を開口してから容器の胴部を押圧、変形せしめることにより内容物を注出して使用する方法が採られている。
【０００３】
しかし、前者のように広口状の容器に収容された内容物を、指先やスプーン等により取り出して使用した場合は、指先についた汚れやスプーンに付着したものを、使用した後で綺麗に洗い落とさなければならず、また、必要とする量を正確に取り出すのはなかなか難しい。
また、後者のように軟質容器に収容したものについては、道具等を汚すことはないが、内容物の量が少なくなってくるにつれて、容器を圧迫して内容物を注出するのが次第に難しくなってくる。
そして、上記したような容器に収容された内容物は、使用するのに伴って容器内の空間が広くなって、内容物が空気に接触する面積が大きくなると、内容物が酸化したり、腐敗してしたりする確率が高くなるが、そのような内容物の変質を防止するのは非常に難しい。
【０００４】
そこで、このような不便さを解消した容器として、一般に広く使用されるようになってきているものに、上記したシャンプー等のような高粘性を有する液状物を収容する中空容器の口頸部に往復動式のシリンダーからなる注出装置を装着しておいて、該注出装置の押圧ヘッド部を指先等で押圧する操作を行って、シリンダー内部のピストンを往復動させることにより、シリンダー内に吸い込んだ前記液状物を加圧して、注出装置のノズル口から注出するようにした各種の注出容器が広く用いられている。
【０００５】
ところで、このような注出装置を装着した注出容器においては、内容物を取り出して使用するのに取り出し具を必要としたり、手先をを汚したりするようなことがなくて非常に便利ではあるが、しかし、このような注出装置は多くの部品から構成されていて、その構造もやや複雑であることから、注出装置の製造コストを低減させるのが非常に難しい。
そこで、このような従来の注出装置に比べて、もう少し簡単な構造をして部品の数が少なくて、組立にも手間がかからないようにして、製造コストを低減できる安価な注出装置を用いた注出容器が出現するのが望まれる。
【０００６】
そのような構造をした注出装置が用いられた安価な注出容器としては、実開昭５３−８８４２８号公報に見るように、内容物を収容した円筒状の容器本体内に、蓋部を貫通する押圧部と吐出管を立設せしめたピストンを上下動可能に嵌着して、前記押圧部を押圧してピストンを押し下げることにより内容物を吐出管を通して注出可能にした容器、また、実開昭６１−１７５１６５号公報に見るように、内容物を収容可能な蓋状をした上部円筒体内にピントンの役をする下部円筒体を摺動自在に嵌合して、前記蓋状の上部円筒体の天板部に押し出し可能な吐出口を立設、開口しておいて、前記ピストン状の下部円筒体を押圧、進入させることにより吐出口より内容物を注出可能にした容器等が知られている。
【０００７】
しかし、前者の考案は、蓋部を貫通した吐出管のノズル部を保護する保護体や吐出管を作動不能に固定するストッパー等が設けられておらず、また、後者の考案は、吐出口の開口部をネジ蓋で密閉するようにしてあるので、不用意に内容物が吐出することはないが、蓋部を捻じって開閉しなければならないので、その開閉操作が面倒であり、また、ピストンの移動を固定するストッパーが設けられていないので、これらのいずれの注出容器も、押圧部やピストンに何らかの圧力が加えられると、不用意に内容物が押し出される恐れがある。
【０００８】
そこで、出願人は、これらの問題点を改良して、内容物を収容する円筒状の容器本体の上端部内面に中蓋を押下げ可能に嵌合すると共に、底壁に回動自在なノズルを有する吐出管を立設、保持した構造にして、前記中蓋を押圧して内容物を注出可能にした容器本体の上端に開閉可能な蓋体を設けて、前記中蓋とノズルを保護するようにして、不用意に内容物が押し出されないように構成した注出容器を、実開平５−１９１７２号として既に提案している。
【０００９】
上記の考案は、図４に示すように、高粘性の内容物を収容する円筒状をした容器本体２１の底部２１ａに、内容物を注出する吐出管２３を立設するための係合支持棒２１ｂを設けて、また、容器本体の円筒状周壁の上端部２１ｃには吐出管２３を突出せしめて保持する保持板２４と、吐出管を挿通する挿通孔を有して容器本体の筒状内周壁面に密接して摺動自在に嵌合する中蓋２５とを設けて、前記保持板２４の上方に水平に突出して水平に回動自在となした吐出管２３の先端部に設けられたノズル２６が設けられている。
そして、前記ノズル２６を保護するように収納する頂壁部を有する蓋体２２が容器本体２１の上端部に回転軸２７を介して開閉可能に設けられていて、前記蓋体を開いた状態にして中蓋２５を押圧することにより高粘性の内容物がノズル２６の先端開口から注出されるように構成した注出容器２０である。
【００１０】
上記の考案は、中蓋２５を押下げることにより容器本体２１内の高粘性の内容物を吐出管２３を通してノズル２６から容易に注出することができて、その構造も従来のものに比べて簡単であり、吐出管先端のノズル２６も蓋体２２で保護されており、また、手や器具を汚したりしないで済むので便利である。
しかし、上記の考案は、吐出用のノズル２６は保護されているので安全ではあるが、前記吐出管２３を保持するのに、底部に係合支持棒２１ｂを設けたり、貫通孔２４ａを有する保持板２４を設けて固定するのでやや複雑になり、また、押圧して内容物を吐出させる中蓋２５が不使用時に移動しないようにするストッパーが設けられていないので、不用意に内容物が注出する恐れが解消されておらず、まだ改善の余地が残されている。
【発明の開示】
【発明が解決しようとする課題】
【００１１】
本願発明は、中空容器内に収容された高粘性を有する内容物を注出するのに、専用の特別な取出し具または複雑な構造をした注出ポンプ等を用いなくても、簡単に注出できるようにした安価な注出容器を提供することを目的とする。
そこで、高粘性を有する内容物を注出可能に収容する注出容器を、円筒状の注出容器本体と該注出容器本体内に密着、嵌合して摺動する押圧ピストンを有する注出ピストンから構成して、前記注出ピストンの押圧部を押圧して前記押圧ピストンを降下させることにより、容器内の内容物を加圧して注出ノズルから注出するようにすると共に、不使用時には、前記押圧ピストンが降下しなようにストッパーを係止してノズルから不用意に内容物が注出されるように形成する。
そして、前記注出容器を、極力少ない点数の部品から構成される非常に簡単な構造にして、特別な注出手段を必要としない安価に製造できる安全な注出容器を提供する。
【課題を解決するための手段】
【００１２】
本願発明は、上記したような目的を達成するために、上端部は開放状に形成され、下端部は底壁部を設けて閉鎖状に形成された円筒体からなる注出容器本体と、前記注出容器本体に密着、嵌合する円板状に形成された押圧ピストンに吐出管を連結した注出ピストンとから注出容器を形成して、前記注出容器本体の空腔部に収容した高粘性を有する内容物を、前記注出ピストンの押圧部を押圧して内容物を注出ノズルから注出可能に構成する。
【００１３】
そして、前記注出容器本体は、円筒体の下端部の底部に前記押圧ピストンを案内する案内部材を立設して、円筒体の上端部に蓋体を螺着または嵌着して設けた蓋体に前記吐出管を挿通する挿通口を形成して、内部に高粘性を有する内容物を収容可能に形成する。
また、前記押圧ピストンは、前記注出容器本体に嵌合する円板の周縁部にはピストンを周設して中空容器本体の内周面に摺動するように形成して、円板の中央部に前記底部の案内部材を挿通する連結筒部を形成して、前記押圧ピストンの連結筒部に注出ノズルと押圧部を形成した吐出管を嵌着、接続して押圧可能な注出ピストンを形成して、注出容器本体内に収容した高粘性を有する内容物を押圧して注出可能に形成する。
【００１４】
上記のように形成した注出容器本体に高粘性を有する内容物を収容して、前記吐出管を連結した押圧ピストンを前記注出容器本体内に摺動可能に嵌合せしめると共に、前記ピストンの連結筒部に前記底部の案内部材を挿通せしめて、内容物を押圧可能に構成する。
このように構成された注出容器本体の上端部に、前記注出ピストンの吐出管を上下動可能に貫通させた状態で蓋体を嵌着、密閉して、前記吐出管の蓋体の上部に突出した部分にストッパーを係止して、前記注出容器の高粘性を有する内容物を注出不可能にする。
【発明の効果】
【００１５】
本願の発明は、広口の注出容器本体内に収容された高粘性を有する内容物を、注出容器本体内に摺動可能に装着した押圧ピストンに吐出管を連結した注出ピストンの押圧部を押圧して、内容物を押圧ピストンにより直接加圧して吐出管の先端の注出ノズルから注出するように構成したので、専用の特別な取出し具を用いることなしに、また、指先等を汚すようなこともなしに、内容物を容易に取出すことができる。
【００１６】
また、本願発明は、注出容器を構成する部品の数を可能な限り少なくしたので、容器の構造が極めて簡単なものになり、その組立が非常に容易になったことから、注出容器を製造するコストを低減することができて、また、注出ピストンの吐出管にストッパーを係止するようにして、不使用時には押圧ピストンが降下できないようにしたので、不用意に内容物が注出するようなことがない。
【発明を実施するための最良の形態】
【００１７】
円筒状に形成した下端部を閉鎖した底部に、内容物を押圧する押圧ピストンを案内、支持する棒状の案内部材を立設すると共に、上端部に蓋体を螺着または嵌着して設けて円筒状容器体を形成して、前記蓋体の中央部に内容物を注出する注出ピストンの吐出管を挿通する筒部を形成して、内部に高粘性を有する内容物を収容可能にした注出容器本体を形成する。
また、前記注出容器本体に嵌合可能に形成した円板の周縁部にピストンを周設して、注出容器本体の内周面に摺動可能にした内容物を押圧する押圧ピストンを形成すると共に、前記押圧ピストンの中央部に前記底部に立設した案内部材を挿通可能にする連結筒部を形成して、該連結筒部に注出ノズルと押圧部を形成した吐出管を連結して押圧可能な注出ピストンを形成する。
【００１８】
上記のように形成した注出容器本体に高粘性を有する内容物を収容して、前記吐出管を連結した押圧ピストンを前記注出容器本体内に摺動可能に嵌合せしめると共に、前記底壁部に立設した案内部材を押圧ピストンの連結筒部に挿通せしめて、押圧可能に注出ピストンを装着した注出容器本体を構成する。
このように構成された注出容器本体の上端部に、前記吐出管を貫通させて蓋体を嵌着せしめて密閉して、該蓋体の上部に突出した吐出管にストッパーを係止して、前記吐出管先端部の注出ノズルを保護するように保護蓋を前記蓋体の上から被着して、高粘性を有する内容物を吐出可能に収容した注出容器を構成する。
【００１９】
上記のように構成された注出容器１は、使用するに際して、前記保護蓋を外してから注出容器を適切な平坦状をした台面上に載置して、前記注出ピストンの上端部に形成した押圧部を指先等により押圧すると、前記吐出管が降下して押圧ピストンにより加圧された内容物が押し上げられるので、内容物は前記案内部材と吐出管との間の隙間を通過して注出ノズル６の先端開口部から吐出されることになる。
【実施例】
【００２０】
本願の発明について、最適な一つの実施例に基づいて、図面を参照しながら、以下に詳細に説明をする。
本願発明は、図２に示すように、熱可塑性合成樹脂を射出成形して円筒体に成形された上端部２ａに蓋体７を嵌着可能に形成すると共に、下端部に押圧ピストン５を案内、支持する棒状の案内部材４を立設した底部２ｂを設けて高粘性を有する内容物を収容可能な注出容器本体を成形する。
その一方で、前記注出容器本体２の上端部に嵌着可能な円板状をした蓋体７を、熱可塑性合成樹脂を射出成形して成形すると同時に、前記蓋体の中央部に注出ピストン３の吐出管６を摺動可能に挿通する嵌合筒７ａを成形して、該蓋体により密閉可能にした注出容器本体２を形成する。
【００２１】
同様に、熱可塑性合成樹脂を射出成形して前記注出容器本体２内に嵌合可能な円板５ｃに成形すると同時に、該円板の縁部に前記注出容器本体２の内面に密着して摺動可能なピストン５ａを形成すると共に、円板５ｃの中央部に内容物を吐出する吐出管（ステム）６を連結する連結筒部５ｂを形成した押圧ピストン５を成形する。
また、熱可塑性合成樹脂を射出成形して管状体を成形して、該管状体の下端に前記押圧ピストン５の連結筒部５ｂに嵌合、連結可能な嵌合部６ａを形成し、上端部に注出ノズル８を形成すると共に押圧部６ｂを設けた吐出管６を成形すると同時に、該吐出管６の内部に前記案内部材４を上下動自在に挿通可能に形成して、更に、吐出管６の外周面にはストッパー９を係止可能な係合凹溝６ｃを形成する。
【００２２】
そして、上記のように形成した吐出管６を前記押圧ピストン５の連結筒部５ｂに嵌合、接続して押圧、摺動可能な注出ピストン３を形成して、前記押圧ピストン５の連結筒部５ｂ内に前記案内部材４を挿通すると共に、前記ピストン５ａを注出容器本体２の内周面に密着させて摺動可能に嵌合せしめると、注出操作が可能な注出ピストン３が構成される。
上記のような構成にした注出容器本体２の空腔部に高粘性を有する内容物を収容したものに対して、前記押圧ピストン５を前記注出容器本体底部２ｂに設けた案内部材４を挿通せしめて、注出容器本体２内に摺動可能に嵌合してから（この時、実際には吐出管に蓋体が挿通されている）、前記注出容器本体の上端部２ａに蓋体７を嵌着せしめることにより、図１に示したように、内容物を注出可能にした注出容器１が形成される。
【００２３】
上記のようにして高粘性の内容物を注出可能に形成された注出容器１に対しては、図３に示すように合成樹脂の射出成形により弾性変形可能に成形された概略Ｃ字状の係止部９ａに摘み片９ｂを設けたストッパー９を、吐出管６の外周面に周方向に設けられた係合凹溝６ｃの部分に圧入することにより、Ｃ字状をした係止部９ａの先端部分が広げられるよう弾性にして、吐出管６に係止部が喰いついたように係合すると共に、ストッパー９の平坦な下面９ｃが蓋体７の上面に密着して係止されて不動状態になる。
そして、このようにして内容物を吐出不能な状態された注出容器１には、注出ピストン３を保護するカップ状をした保護蓋１０を注出ノズル８の上から被せて、前記蓋体７の外側の係合部７ｂに保護蓋１０の開口端に設けた嵌合部１０ａを嵌合せしめて固定することにより、図１に見るような商品としての注出容器１が構成される。
【００２４】
上記のように構成された注出容器１の内容物を注出して使用するには、注出容器本体２から保護蓋１０を取り去って、吐出管６の係合凹溝６ｃに係合する前記ストッパー９を外せば、注出ピストン３を押圧できて注出可能になる。
そこで、前記注出容器１をテーブルまたは鏡等の置き台や棚等の適当な平坦面の上に載置した状態にして、吐出ノズル８の開口部を塞いでいた開閉蓋８ａを開いてから、前記注出ピストンの押圧部（押圧ヘッド）６ｂを指先等で押圧すると、吐出管６を介して押圧ピストン５は下方へ押下げることができる。
【００２５】
続いて、図２に示したように、前記押圧ピストン５が押下げられると、注出容器内の高粘性の内容物は、押圧ピストンにより押圧されて加圧状態になる。
このようにして、押圧ピストン５により加圧状態とされた内容物は、前記案内部材４の外周面に設けられた流出溝４ａに沿って流動して、案内部材４と連結筒部５ｂ内面及び吐出管６内面との隙間を通って上方へ押し上げられる。
その結果、内容物は前記注出ノズル８の先端開口部から注出されることになるので、必要な量を適当な受け皿や手のひら等に受け取って使用することが可能となる。
【００２６】
本願発明の注出容器１は、注出ピストン３の押圧部６ｂを押圧することにより、吐出管６を注出容器本体２内に押し込んで押圧ピストン５の降下する量を加減すれば、注出容器１内の内容物を必要なだけ注出することができる。
そこで、注出ピストン５の吐出管６の外周面に設ける前記係合凹溝６ｃを、内容物を注出する量の目安となる位置に複数個設けて、ストッパー９を係止可能に形成しておくことにより、前記係合凹溝６ｃを目視しながら押圧部を押圧すれば、係合凹溝６ｃが目盛りの役目を果たすので、必要とする量の内容物をほぼ正しく、且つ、容易に注出することができるようになる。
【００２７】
そして、このように複数の係合凹溝６ｃを設けた注出容器１に於いては、前記ストッパー９を注出ピストン３の吐出管６の途中に設けた係止溝６ｃに係止せしめることにより、押圧ピストンの降下を不動状態にすることが可能になる。
このようにして容器本体の中程で吐出管６を係止して注出ピストンを降下不能に固定することにより、不使用時に内容物が注出することがないばかりか、使いかけの場合に、容器内の内容物が空気中の酸素により酸化されて変質するのを防ぐことも可能になる。
【００２８】
尚、上記した実施例に於いては、注出容器本体２は、注出ピストン３における内容物の押出し作用をする押圧ピストン５を上下方向に案内すると共に、流動する内容物を導出する案内部材４を、円筒状に成形した容器本体の底壁部２ｂに立設するように一体構造に形成したが、本願発明は、このような構造のものに限定されるものではなくて、案内部材は底壁部とは別体に成形しておいて、後で結合するようにしてもよい。
また、注出ピストン３は、注出ノズル８と押圧部６ｂとを設けて成形した吐出管６に、別体に成形された押圧ピストン５を連結して押圧可能となる構造に形成したが、逆に吐出管６に押圧ピストン５を一体に形成しておいて、別体に成形した注出ノズル８と押圧部６ｂと接合することも可能である。
更に、注出容器の上端部を密閉する蓋体７を２つに分割可能な構造に形成しておけば、注出ピストン３を容器本体に装着するのが容易になる。
【００２９】
以上、述べたように本願発明の注出容器は、非常に簡単な構造をしたものではあるが、従来の高粘性を収容した容器のように、専用の注出ポンプや特別な取出し用具を用いなくても、内容物を容易に取出すことができて、また、指先等を汚すようなこともない。
そして、本願発明は、注出容器を構成する部品の数を可能な限り少なくして、容器の構造を簡単なものにしたことから、それを組み立てるのが極めて容易になったことから、従来の注出容器に比べて低コストで製造することができる。
また、注出ピストンの移動を阻止するストッパー機能を設けたことにより、何らかの要因で容器本体部が不用意に押圧力が加えられたとしても、押圧ピストンの降下が阻止されているので、不使用時に内容物が注出する恐れはない。
【産業上の利用可能性】
【００３０】
上記のような構成をした本願発明の注出容器は、専用の注出ポンプや特別な取出し用具を用いなくても、容器内に収容した高粘性を有する内容物を簡単に注出することができることから、従来から用いられてきた化粧用クリームや洗顔用のパック材、整髪用のポマード等の化粧用品、または、シャンプーやリンス、その他の各種の衛生用品等を収容する容器として使用可能である。
また、マヨネーズやケチャップ、ホワイトソース等のペースト状をした各種の調味料や食品等を収容する容器、更には、グリース等の潤滑油や靴墨等の皮革保護材、あるいは、糊やその他の接着剤等の容器としても使用することが可能である。
【図面の簡単な説明】
【００３１】
【図１】本願発明の注出容器を示す縦方向の半断面図（ａ）とそのＸ−Ｘ断面図（ｂ）である。
【図２】図１に示す本願発明の注出容器の使用状態を示す縦断面図である。
【図３】本願発明の注出容器における注出ピストンの作動を防止するストッパーを示す斜視図である。
【図４】本願発明の先行例の注出容器を示す断面図である。
【符号の説明】
【００３２】
１．    注出容器
２．    注出容器本体
３．    注出ピストン
４．    案内部材
５．    押圧ピストン
６．    吐出管
７．    蓋体
８．    注出ノズル
９．    ストッパー
１０．  保護蓋
【図１】
2006124007.tif 000003
【図２】
2006124007.tif 000004
【図３】
2006124007.tif 000005
【図４】
2006124007.tif 000006